(57)【特許請求の範囲】
【請求項１】
顧客宅に設置されるメータと、当該メータからの電文を受信する監視センタと、前記メータと前記監視センタとを接続する通信回線上に介在する通信装置とを備える通信システムにおいて、
前記通信装置は、前記監視センタにおける当該通信装置と通信するための検針電文の送信先とは異なる所定の専用装置に対して発呼して当該専用装置と回線接続した後、前記メータに対して前記メータＩＤを含む電文を前記監視センタに送信するように指示し、前記メータが、前記専用装置と回線接続中の前記通信装置を介して前記メータＩＤを含む電文を前記専用装置に対して送信し、
前記監視センタは、前記電文を前記専用装置で受信することにより、前記電文が前記通信装置からの発呼に対応する電文であることを認識し、前記電文に含まれる前記メータＩＤに対応する顧客情報に基づいて通信装置を識別することを特徴とする通信システム。
【請求項２】
請求項１において、
前記通信装置は、回線網制御装置であることを特徴とする通信システム。
【請求項３】
請求項１において、
前記通信装置は、回線網制御装置と、当該回線網制御装置と前記メータとの間を無線通信で接続する一対の無線機を含み、そのうちのいずれか一つが前記監視センタに対して発呼することを特徴とする通信システム。
【請求項４】
請求項１において、
前記メータは、前記顧客宅の使用量を計測するガスメータ、水道メータ又は電力メータであることを特徴とする通信システム。
【請求項５】
顧客宅に設置されるメータと、当該メータからの電文を受信する監視センタと、前記メータと前記監視センタとを接続する通信回線上に介在する通信装置の識別方法において、
前記通信装置は、前記監視センタにおける当該通信装置と通信するための検針電文の送信先とは異なる所定の専用装置に対して発呼して当該専用装置と回線接続した後、前記メータに対して前記メータＩＤを含む電文を前記監視センタに送信するように指示し、前記メータが、前記専用装置と回線接続中の前記通信装置を介して前記メータＩＤを含む電文を前記専用装置に対して送信し、
前記監視センタは、前記電文を前記専用装置で受信することにより、前記電文が前記通信装置からの発呼に対応する電文であることを認識し、前記電文に含まれる前記メータＩＤに対応する顧客情報に基づいて通信装置を識別することを特徴とする通信装置の識別方法。
【発明の詳細な説明】
【０００１】
【発明の属する技術分野】
本発明は、顧客宅に設置されるメータと、当該メータからの電文を受信する監視センタと、前記メータと前記監視センタとを接続する通信回線上に介在する通信装置とを備える通信システム及び当該通信装置に関する。
【０００２】
【従来の技術】
ガスメータ、電力メータ又は水道メータなど（以下、メータという）と監視センタを通信回線で接続することにより、各メータの自動検針が可能となっている。各メータは、マイクロコンピュータを内蔵し、自発的に又は監視センタからの指示に従って自己の指針値を監視センタに通信回線を介して通知する。これにより、従来、検針員が各戸を巡回してメータの指針値を目視で取得する作業が必要なくなり、効率的な検針が実現されている。
【０００３】
図８は、メータと監視センタ間の通信を説明するブロック図である。一般に、メータ１と監視センタ２との通信は、各顧客宅に引かれている電話回線を用い、メータ１と監視センタ２間には、各種通信装置が介在する。例えば、図８（ａ）に示すように、メータ１は、通信装置である回線網制御装置（ＮＣＵ：Network Control Unit）３と有線接続し、ＮＣＵ３を介して電話回線と接続する。又は、図８（ｂ）に示すように、メータ１とＮＣＵ３との間は無線接続であってもよい。無線接続の場合、メータ１とＮＣＵ３それぞれは、通信装置である無線機４ａ、４ｂと接続し、無線機４ａ、４ｂを利用して、メータ１とＮＣＵ３間の通信が行われる。
【０００４】
【発明が解決しようとする課題】
ところで、各メータは、監視センタによって管理される自己のＩＤを記憶し、監視センタと通信する場合は、自己のＩＤを監視センタに通知することで、監視センタは、各メータを識別する。監視センタは、メータＩＤを顧客情報として管理し、メータＩＤを識別することにより、顧客を特定することができる。
【０００５】
また、無線機４ａ、４ｂには、通常、無線機４ａが接続しているメータのＩＤと同じＩＤがあらかじめ記憶されている場合がある。その場合、無線機４ａ、４ｂ自身が監視センタ２と通信するときに、そのＩＤを監視センタ２に通知することにより、監視センタ２は、メータのＩＤに対応する顧客を特定し、その顧客宅の無線機４ａ、４ｂであることを判別することができる。無線機４ａ、４ｂ自身が監視センタ２に対して発呼する場合は、例えば、無線通信にトラブルが発生した場合、特に、相手機からの信号を受信できない場合などのアラーム情報を監視センタ２に通知する場合などである。
【０００６】
このように、無線機４ａ、４ｂのＩＤは、メータと同じＩＤに設定されるので、メータ２が交換されると、無線機４ａ、４ｂのＩＤも書き換える必要があり、その書き換え作業が面倒である。
【０００７】
さらに、ＮＣＵ３は、運用上、自己のＩＤを識別符号として登録しない場合がある。従って、ＮＣＵ３が監視センタ２に対して発呼する場合、監視センタ２は、ＮＣＵ３を識別できないという不都合が生じる。ＮＣＵ３が監視センタ２と通信する場合は、例えばＮＣＵ３自体にトラブルが発生した場合、特に、電池で駆動するＮＣＵ３の電池電圧低下などのアラーム情報を監視センタ２に通知する場合などである。
【０００８】
ＮＣＵ３を識別するために、メータ２のＩＤと同じＩＤを記憶させた場合は、上述同様に、メータ交換時に、書き換え作業が必要となる。
【０００９】
また、ＮＣＵ３及び無線機４ａ、４ｂに対して、それぞれメータ１のＩＤとことなる独自のＩＤを記憶させてもよいが、監視センタ２でのＩＤ管理が複雑となり好ましくない。
【００１０】
従って、本発明の目的は、通信装置にＩＤを記憶させることなく、通信装置からの発呼に対して、監視センタが通信装置を識別することができる通信システム及びそれにおける通信装置を提供することにある。
【００１１】
【課題を解決するための手段】
上記目的を達成するための本発明の通信システムは、顧客宅に設置されるメータと、当該メータからの電文を受信する監視センタと、メータと監視センタとを接続する通信回線上に介在する通信装置とを備える通信システムにおいて、通信装置が監視センタに対して発呼する際に、メータに格納されているメータＩＤが監視センタに通知され、監視センタは、メータＩＤに基づいて通信装置を識別することを特徴とする。
【００１２】
例えば、通信装置は、メータＩＤをメータとの通信により取得し、当該取得したメータＩＤを含む電文を監視センタに送信する。又は、通信装置は、メータに対してメータＩＤを含む電文を監視センタに送信するように指示し、メータが、メータＩＤを含む電文を監視センタの所定の専用装置に対して送信し、監視センタが、電文を専用装置で受信することにより、電文が通信装置からの発呼に対応する電文であることを認識し、電文に含まれるメータＩＤに基づいて通信装置を識別してもよい。
【００１３】
本発明の通信システムにより、通信装置に独自のＩＤを与えることなく、メータの交換を考慮することなく、メータに一対一に対応付けられる通信装置を識別することができるようになる。
【００１８】
【発明の実施の形態】
以下、本発明の実施の形態について説明する。しかしながら、本発明の技術的範囲が、本実施の形態に限定されるものではない。
【００１９】
本発明の実施の形態では、通信装置であるＮＣＵ（回線網制御装置）、無線機が監視センタに発呼する必要が生じた場合（例えば、電池電圧が低下した場合など）、メータのＩＤを含む電文が監視センタに通知される。これにより、監視センタは、受信した電文に含まれるＩＤによってメータを識別し、そのメータを設置している顧客を特定することにより、メータに通信接続する通信装置も識別することができるようになる。メータが交換された場合であっても、監視センタでは、メータのＩＤを管理しているので、通信装置のＩＤを書き換えることなく、メータのＩＤに基づいて、そのメータに通信接続する通信装置を特定することが可能である。なお、メータのＩＤは、監視センタにおいて、例えば、顧客情報の一部として管理される。即ち、監視センタは、各顧客の顧客情報として、氏名、住所などに加えて、その顧客宅に設置されているメータのＩＤを管理する。以下、本実施の形態例について詳しく説明する。
【００２０】
図１乃至図３は、本発明の第一の実施の形態における通信データ伝送手順である。また、図４乃至図６は、本発明の第二の実施の形態における通信データ伝送手順である。以下、各図について説明する。
【００２１】
図１は、監視センタと通信する通信装置がＮＣＵである場合の第一の実施の形態の通信データ転送手順である。図１において、ＮＣＵ３は、例えば自己の電池電圧が所定電圧未満であることを検知し、その電池電圧低下をアラーム電文として監視センタ２に通知する。そのために、ＮＣＵ３は、まず、メータのＩＤを取得するために、メータ１に対して起動１電文RSM(Request to Send Message)1を送信する（S101）。
【００２２】
図７は、各種電文のフォーマット例を示す図である。図７（ａ）は、起動電文RSMのフォーマット例を示す。図示されるように、起動電文RSMは、開始コード(STX)、起動電文識別コード“１”又は“２”、終了コード(ETX)及びチェックコード(BCC)を含む。以下、起動電文識別コードが“１”である電文を起動１電文(RSM1)、起動電文識別コードが“２”である電文を起動２電文(RSM2)と称する。起動１電文(RSM1)は、ＮＣＵ３や無線機４が自発的に送信する起動電文であって、起動２電文（RSM2）は、後述する発呼要求電文(ROD)に応答して、ＮＣＵ３や無線機４が送信する起動電文である。
【００２３】
図１において、メータ１は、起動１電文RSM1を受信すると、起動応答電文を返信する（S102）。図７（ｂ）は、起動応答電文のフォーマット例である。図示されるように、起動応答電文には、メータが通常の自動検針において監視センタに送信する検針電文が利用される。従って、起動応答電文は、開始コード(STX)、事業体コード、ＩＤ、電文種別コード、情報種別コード、指針値、日時、終了コード(ETX)及びチェックコード(BCC)である。事業体コードは、メータ、ＮＣＵ、無線機など装置の種別を識別するコードを含む。ＩＤは、メータが記憶している自己のＩＤである。電文種別コードは、電文が制御電文（Ｃ）、設定電文（Ｓ）、要求電文（Ｒ）、応答電文（Ｄ）のいずれであるかを表すコードである。情報種別コードは、電文に含まれる情報（指針値、アラーム情報など）を識別するコードである。
【００２４】
図１において、ＮＣＵ３は、起動応答電文を受信すると、それに含まれるメータのＩＤを取得し、内蔵するバッファメモリに保持する（S103）。その後、ＮＣＵ３は、メータ１に終了電文EOC(End Of Communication)を送信する（S104）。図７（ｃ）は、終了電文EOCのフォーマット例である。図示されるように、終了電文は、開始コード(STX)、終了電文識別コード‘Ａ’、終了コード(ETX)及びチェックコード(BCC)を含む。
【００２５】
ＮＣＵ３は、終了電文送信後、オフフック状態となり（S105）、交換機からの発信音を確認すると（S106）、監視センタの電話番号にダイヤルする（S107）。
ＮＣＵ３は、この電話番号をあらかじめ記憶している。交換機は、ダイヤルされた電話番号に従って、監視センタ２と回線接続し（S108）、監視センタ２は、回線接続すると、アンサートーンをＮＣＵ３に返信する（S109）。
【００２６】
ＮＣＵ３は、アンサートーンを確認すると、アラーム電文を作成し、監視センタ２に送信する（S110）。図７（ｄ）は、アラーム電文のフォーマット例である。図示されるように、アラーム電文は、開始コード(STX)、事業体コード、ＩＤ、電文種別コード、情報種別コード、アラーム情報、日時、終了コード(ETX)及びチェックコード(BCC)を含む。アラーム電文に含まれるＩＤは、上記ステップＳ１０３で保持しているメータのＩＤである。アラーム情報は、例えば、電池電圧が所定電圧未満である旨の情報である。
【００２７】
図１において、監視センタ２内の所定のセンタ装置（コンピュータ装置）は、アラーム電文を受信すると、それに含まれるＩＤを取得し（S111）、終了電文EOCをＮＣＵ３に送信する（S112）。監視センタ２は、終了電文送信後に回線を切断し（S113）、ＮＣＵ３も終了電文受信後に回線を切断する（S114）。
【００２８】
監視センタ２は、ステップS111で取得したＩＤにより、そのＩＤに対応するメータを識別し、さらに、そのメータを有する顧客を顧客情報により知ることができる。こうして、監視センタ２は、作業員をその顧客宅に派遣し、作業員は、ＮＣＵ３の電池交換又はＮＣＵ３自体の交換作業を行う。
【００２９】
図２は、監視センタと通信する通信装置がメータに接続する無線機（メータ側無線機）である場合の第一の実施の形態の通信データ伝送手順である。図２において、ステップS201乃至S204は、それぞれ上述の図１のステップS101乃至S104と同様であって、メータ側無線機４ａは、起動１電文(RSM1)をメータ１に送信し（S201）、メータ１は起動応答電文を返信し（S202）、メータ側無線機４ａは、それに含まれるＩＤを保持し（S203）、終了電文をメータ１に送信する（S204）。
【００３０】
メータ側無線機４ａは、終了電文送信後、回線側無線機４ｂを中継して、ＮＣＵに発呼要求電文ROD（Request Of Dialing）を送信する（S220-1、S220-2）。図７（ｅ）は発呼要求電文RODのフォーマット例を示す図示されるように、発呼要求電文RODは、開始コード(STX)、発呼先電話番号、終了コード(ETX)及びチェックコード(BCC)を含む。発呼要求電文RODは、複数の発呼先電話番号を含んでもよく、第一の電話番号以外の第二の電話番号は予備の発呼先電話番号である。
【００３１】
ＮＣＵ３は、発呼要求電文RODを受信すると、上述の図１のステップS105乃至S109同様に、オフフック状態となり（S205）、交換機からの発信音を確認すると（S206）、上記第一の電話番号にダイヤルする（S207）。交換機は、ダイヤルされた電話番号に従って、監視センタ２と回線接続し（S208）、監視センタ２は、回線接続すると、アンサートーンをＮＣＵ３に返信する（S209）。
【００３２】
ＮＣＵ３は、アンサートーンを確認すると、起動２電文RSM2を回線側無線機４ｂを中継してメータ側無線機４ａに送信する（S221-1、221-2）。メータ側無線機４ａは、起動２電文RSM2を受信すると、アラーム電文を作成し、回線側無線機４ｂを中継して監視センタ２に送信する（S210-1、S210-2）。そして、監視センタ２は、アラーム電文を受信すると、上述の図１のステップS111乃至S114同様に、アラーム電文に含まれるＩＤを取得し（S211）、終了電文EOCをＮＣＵ３に送信する（S212）。監視センタ２は、終了電文送信後に回線を切断し（S213）、ＮＣＵ３も終了電文受信後に回線を切断する（S214）。
【００３３】
図３は、監視センタと通信する通信装置がＮＣＵと接続する無線機（回線側無線機）である場合の第一の実施の形態の通信データ伝送手順である。図３において、ステップS301乃至S304は、それぞれ上述の図１のステップS101乃至S104と同様であって、回線側無線機４ｂは、メータ側無線機４ａを中継して起動１電文RSM1をメータ１に送信し（S301-1、S301-2）、メータ１は、起動応答電文をメータ側無線機４ａを中継して回線側無線機４ｂに返信し（S302-1、S302-2）、回線側無線機４ｂは、それに含まれるＩＤを保持する（S303）。また、終了電文は、メータ側無線機４ａによってメータ１に送信される（S304）。
【００３４】
回線側無線機４ｂは、ＩＤを取得するとと、ＮＣＵ３に発呼要求電文RODを送信する（S330）。ＮＣＵ３は、発呼要求電文RODを受信すると、上述の図１のステップS105乃至S109同様に、オフフック状態となり（S305）、交換機からの発信音を確認すると（S306）、第一の電話番号にダイヤルする（S307）。交換機は、ダイヤルされた電話番号に従って、監視センタ２と回線接続し（S308）、監視センタ２は、回線接続すると、アンサートーンをＮＣＵ３に返信する（S309）。
【００３５】
ＮＣＵ３は、アンサートーンを確認すると、起動２電文RSM2を回線側無線機４ｂに送信する（S331）。そして、上述の図１のステップS110乃至S114同様に、回線側無線機４ｂは、起動“２”電文を受信すると、アラーム電文を作成し、監視センタ２に送信する（S310）。監視センタ２は、アラーム電文を受信すると、アラーム電文に含まれるＩＤを取得し（S311）、終了電文EOCをＮＣＵ３に送信する（S312）。監視センタ２は、終了電文送信後に回線を切断し（S313）、ＮＣＵ３も終了電文受信後に回線を切断する（S314）。
【００３６】
このように、第一の実施の形態では、通信装置（ＮＣＵ、無線機など）がメータ１からの起動応答電文によりメータ１のＩＤを取得し、通信装置がそのＩＤを含むアラーム電文を監視センタに送信することにより、監視センタは、メータのＩＤを取得する。
【００３７】
図４は、監視センタと通信する通信装置がＮＣＵである場合の第二の実施の形態の通信データ伝送手順である。第二の実施の形態では、監視センタ２は、メータ１からの起動応答電文を受信することにより、メータのＩＤを取得する。
【００３８】
図４は、図１同様に、例えばＮＣＵ３の電池電圧低下により、ＮＣＵ３が監視センタに対して発呼する場合である。ＮＣＵ３は、オフフック状態となり（S401）、交換機からの発信音を確認すると（S402）、監視センタ２の電話番号にダイヤルする（S403）。ＮＣＵ３は、この電話番号をあらかじめ記憶している。なお、本第二の実施の形態では、ＮＣＵ３に記憶される電話番号は、ＮＣＵ３からの発呼に基づく通信の専用電話番号であって、上述の検針電文又はアラーム電文などを送信するための通常通信用の電話番号とは異なる。このＮＣＵ専用電話番号を利用した通信は、監視センタ２内において、ＮＣＵ３と通信するための専用装置（ＮＣＵ専用装置）によって受信され処理される。ＮＣＵ専用装置は、監視センタ２とは遠隔の別のセンタに設けられてもよい。
【００３９】
交換機は、ダイヤルされた専用電話番号に従って、監視センタ２と回線接続する（S404）。更に詳しくは、監視センタ２の専用装置と回線接続する。監視センタ２は、回線接続すると、アンサートーンをＮＣＵ３に返信する（S405）。ＮＣＵ３は、アンサートーンを確認すると、メータ１に対して起動１電文RSM1を送信する（S406）。メータ１は、起動１電文RSM1に基づいて、上述の図７（ｂ）の起動応答電文を作成し、ＮＣＵ３を中継して、既に回線接続している監視センタ２に送信する（S407）。監視センタ２のＮＣＵ専用装置が、起動応答電文を受信し、それに含まれるＩＤを取得し（S408）、終了電文EOCをＮＣＵ３に送信する（S409）。監視センタ２は、終了電文送信後に回線を切断し（S410）、ＮＣＵ３も終了電文受信後に回線を切断する（S411）。
【００４０】
監視センタ２は、ステップS408で取得したＩＤにより、そのＩＤに対応するメータを識別し、さらに、そのメータを有する顧客を顧客情報により知ることができる。また、監視センタ２は、メータ１からの起動応答電文をＮＣＵ専用装置で受信することにより、ＮＣＵ３からの発呼要求であるとと判定することができる。これにより、監視センタ２は、メータのIDによって識別された顧客宅に作業員を派遣し、作業員は、ＮＣＵ３の電池交換又はＮＣＵ３自体の交換作業を行う。
【００４１】
図５は、監視センタと通信する通信装置がメータに接続する無線機（メータ側無線機）である場合の第二の実施の形態の通信データ伝送手順である。
【００４２】
メータ側無線機４ａは、無線通信の何らかのトラブルを検出すると、発呼要求電文RODを回線側無線機４ｂを中継してＮＣＵ３に送信する（S500-1、S500-2）。ＮＣＵ３は、発呼要求電文RODを受信すると、オフフック状態となり（S501）、交換機からの発信音を確認すると（S502）、発呼要求電文RODに含まれる電話番号にダイヤルする（S503）。発呼要求電文RODに含まれる電話番号は、無線機４ａ、４ｂにあらかじめ記憶される無線機４ａ、４ｂからの発呼に基づく通信の専用電話番号であって、この無線機専用電話番号を利用した通信は、監視センタ２内において、無線機４ａ、４ｂと通信するための専用装置（無線機専用装置）によって受信され処理される。この無線機専用電話番号も、上述の検針電文又はアラーム電文などを送信するための通常通信用の電話番号とは異なり、さらに、上述のＮＣＵ専用電話番号とも異なる。
【００４３】
交換機は、ダイヤルされた専用電話番号に従って、監視センタ２と回線接続する（S504）。監視センタ２は、回線接続すると、アンサートーンをＮＣＵ３に返信する（S505）。ＮＣＵ３は、アンサートーンを確認すると、ＮＣＵ３は、無線機４ａに起動２電文RSM2を送信し（S506-1）、無線機４ａは、無線機４ｂに起動２電文RSM2を送信し（S506-2）、さらに、無線機４ｂは、メータ１に対して起動１電文RSM1を送信する（S506-3）。
【００４４】
一方、メータ１は、起動１電文RSM1に基づいて、上述の図７（ｂ）のメータ起動応答電文を作成し、無線機４ａ、４ｂ及びＮＣＵ３を中継して、既に回線接続している監視センタ２に送信する（S507-1、S507-2、S507-3）。監視センタ２の無線機専用装置が、メータ起動応答電文を受信し、それに含まれるメータのＩＤを取得し（S508）、終了電文EOCをＮＣＵ３に送信する（S509-1）。終了電文は、無線機４ａ、４ｂを中継してメータに転送される（S509-2、S509-3）。また、監視センタ２は、終了電文送信後に回線を切断し（S510）、ＮＣＵ３も終了電文受信後に回線を切断する（S511）。
【００４５】
このように、図５の場合、監視センタ２内の無線機専用装置に対して発呼することで、監視センタ２は、無線機４ａ、４ｂからの発呼要求と判定する。従って、監視センタ２は、無線機４ａ、４ｂのトラブル修理のために、メータのIDによって識別された顧客宅に作業員を派遣する。
【００４６】
図６は、監視センタと通信する通信装置がＮＣＵに接続する無線機（回線側無線機）である場合の第二の実施の形態の通信データ伝送手順である。図６では、発呼要求電文RODが、回線側無線機４ｂから送信される（S600）。それ以後は、図５ほぼ同様であるので、その説明を省略する。但し、ＮＣＵ３は、アンサートーン確認後、無線機４ａに起動２電文RSM2を送信し（S606-1）、無線機４ａは、無線機４ｂに起動１電文RSM1を送信し（S606-2）、さらに、無線機４ｂは、メータ１に対して起動１電文RSM1を送信する（S606-3）。
【００４７】
上述の実施の形態では、メータと監視センタ間に介在する通信装置として、ＮＣＵ（回線網制御装置）、無線機について説明したが、それに限定されず、例えば、デジタル電話回線において利用されるＴＡ（ターミナルアダプタ）などの通信装置であってもよい。
【００４８】
また、本実施の形態において、ＮＣＵ３及び無線機４ａ、４ｂは、所定の間隔（例えば一日に一回）で定期的に前記メータに対して起動１電文RSM1を送信することで、メータ１のＩＤを取得し記憶しておいてもよい。これにより、メータ１が変更された場合でも、変更後のＩＤを取得することが可能であり、また、ＮＣＵ３などが発呼する際に、メータ１の不具合によりメータ１と通信できない場合であっても、メータ１のＩＤを監視センタ２に通知することができる。
【００４９】
さらに、本実施の形態において、ＮＣＵ３及び無線機４ａ、４ｂは、監視センタ２とメータ１との通信内容を監視し、その通信内容に含まれるメータのＩＤを取得して記憶しておいてもよい。通信内容の監視を定期的又は常時行うことで、上述同様に、メータ１が変更された場合でも、変更後のＩＤを取得することが可能であり、また、ＮＣＵ３などが発呼する際に、メータ１と通信できない場合であっても、メータ１のＩＤを監視センタ２に通知することができる。
【００５０】
また、上述の実施の形態におけるメータは、各顧客宅の使用量を計測するガスメータ、電力メータ又は水道メータなどに対して適用可能である。
【００５１】
本発明の保護範囲は、上記の実施の形態に限定されず、特許請求の範囲に記載された発明とその均等物に及ぶものである。
【００５２】
【発明の効果】
以上、本発明によれば、監視センタは、メータと監視センタ間に介在する通信装置に独自のＩＤを記憶させることなく、又はメータ交換時において通信装置に記憶されるＩＤを書き換えることなく、発呼する通信装置を識別することができる。
【図面の簡単な説明】
【図１】監視センタと通信する通信装置がＮＣＵである場合の第一の実施の形態の通信データ伝送手順である。
【図２】監視センタと通信する通信装置がメータに接続する無線機（メータ側無線機）である場合の第一の実施の形態の通信データ伝送手順である。
【図３】監視センタと通信する通信装置がＮＣＵに接続する無線機（回線側無線機）である場合の第一の実施の形態の通信データ伝送手順である。
【図４】監視センタと通信する通信装置がＮＣＵである場合の第二の実施の形態の通信データ伝送手順である。
【図５】監視センタと通信する通信装置がメータに接続する無線機（メータ側無線機）である場合の第二の実施の形態の通信データ伝送手順である。
【図６】監視センタと通信する通信装置がＮＣＵに接続する無線機（回線側無線機）である場合の第二の実施の形態の通信データ伝送手順である。
【図７】各種電文フォーマットの例である。
【図８】メータと監視センタ間の通信を説明するブロック図である。
【符号の説明】
１  メータ
２  監視センタ
３  ＮＣＵ（回線網制御装置）
４  無線機
【図１】
0004554049.tif 000002
【図２】
0004554049.tif 000003
【図３】
0004554049.tif 000004
【図４】
0004554049.tif 000005
【図５】
0004554049.tif 000006
【図６】
0004554049.tif 000007
【図７】
0004554049.tif 000008
【図８】
0004554049.tif 000009